(57)【特許請求の範囲】
【請求項１】
２本の柱の間に引き違い式に開閉する親扉と先導扉とを配置し、上記親扉と先導扉とが閉じ状態において上記２本の柱間の中央部で重合する重合部において、その一方の扉の上部に他方の扉の上部をガイドするガイド体を取付け、上記ガイド体には、一方の扉の上部に固定される固定部と他方の扉をローラによりガイドするガイド部を設けるとともに、上記親扉と先導扉の下部に、係合部と該係合部に係合可能なブロックとを一体に形成した連結部材をそれぞれ固定し、扉閉じ時に一方の連結部材のブロックが他方の連結部材の係合部に上下方向に移動できないように係合可能としたことを特徴とする二連引戸門扉。
【請求項２】
上記ガイド体は親扉に固定されていることを特徴とする、請求項１に記載の二連引戸門扉。
【請求項３】
上記親扉の引き込み側の柱の上部に、扉の開閉方向と直交する方向に水平なガイドアームを設け、このガイドアームの先端に上記親扉を支持するガイドローラを取付け、このガイドローラと上記柱との間に上記先導扉を引き込み可能な引き込み空間を設けたことを特徴とする、請求項２に記載の二連引戸門扉。
【発明の詳細な説明】
【技術分野】
【０００１】
本発明は、２つの柱の間に引き違い式に開閉する親扉と先導扉とを配置した二連引戸門扉に関する。
【背景技術】
【０００２】
一般に、二連引戸門扉は２本の門柱間の開口部に２枚の引戸が配置される構成であり、開放時には大きな開放空間を得ることができる。そして、開放時には各引戸は一方又は両方の門柱側に引き込ませればよい。ところが、閉止時には２枚の引き戸の端部同士が重合している部分をどのように支持するかが問題となる。それぞれの引戸の門柱側の端部は各門柱によって支持されているが、それだけでは中央で他方の引戸と重合している端部を支持するには不足である。
【０００３】
そこで、従来は両側の門柱の間に案内支柱を立て、この案内支柱に開口部の中央で重合する両引き戸の端部を支持する構成の引戸門扉が知られている。
【特許文献１】特開平８−２５４０８８号公報
【発明の開示】
【発明が解決しようとする課題】
【０００４】
しかしながら、開口部の中央に案内支柱を設ける構成では、十分に大きな開放空間が形成されるとはいえない。
【０００５】
本発明は上記問題点を解消し、地面に案内支柱のような支持手段を設ける必要がなく、二連引戸により２本の門柱間に全開口空間を得ることができるとともに、２枚の引戸を十分に安定的に支持することができる二連引戸門扉を提供することをその課題とする。
【課題を解決するための手段】
【０００６】
前記課題を解決するため、請求項１に係る発明は、２本の柱の間に引き違い式に開閉する親扉と先導扉とを配置し、上記親扉と先導扉とが閉じ状態において上記２本の柱間の中央部で重合する重合部において、その一方の扉の上部に他方の扉の上部をガイドするガイド体を取付け、上記ガイド体には、一方の扉の上部に固定される固定部と他方の扉をローラによりガイドするガイド部を設けるとともに、上記親扉と先導扉の下部に、係合部と該係合部に係合可能なブロックとを一体に形成した連結部材をそれぞれ固定し、扉閉じ時に一方の連結部材のブロックが他方の連結部材の係合部に上下方向に移動できないように係合可能としたことを特徴とする。
【０００７】
請求項２に係る発明は、上記ガイド体は親扉に固定されていることを特徴とする。
【０００８】
請求項３に係る発明は、上記親扉の引き込み側の柱の上部に、扉の開閉方向と直交する方向に水平なガイドアームを設け、このガイドアームの先端に上記親扉を支持するガイドローラを取付け、このガイドローラと上記柱との間に上記先導扉を引き込み可能な引き込み空間を設けたことを特徴とする。
【発明の効果】
【０００９】
請求項１に係る発明によれば、親扉と先導扉のうちの一方の扉に他方の扉をガイドするガイド体を取付け、このガイド体には、一方の扉の上部に固定される固定部と他方の扉をローラによりガイドするガイド部を設けたことにより、上記ローラによって上記２つの扉が相対的に開閉方向に移動することができるとともに、閉じ状態のときに中央部で上記２つの扉が重合した部分で両扉はガイド部によって一体的に保持されるから、一方又は両方の扉が柱に支持されていれば、他方の扉も同様に支持されることになり、安定状態が保たれる。したがって、２つの支柱間にさらに従来のような案内支柱を立設する必要がないので、十分に大きな開放空間を得ることができる。
【００１０】
また、先導扉と親扉とによって柱間の開口部を閉じた状態において、下部において先導扉と親扉とは互いの連結部材の係合部が係合することによって、上下方向に移動できないように支持されているので、先導扉と親扉とはガイド部と連結部材とによって一体的に安定的に支持される。
【００１１】
請求項２に係る発明によれば、常に引き込み側の柱に支持される親扉が先導扉を支持することになるので、閉じ状態の安定を確保することができる。
【００１２】
請求項３に係る発明によれば、柱上部の水平なガイドアームの先端に設けた親扉支持用ガイドローラと上記柱との間の空間に上記先導扉を引き込むことができるので、開き時には先導扉を親扉と柱との間に安定に支持することができる。
【発明を実施するための最良の形態】
【００１３】
図１（ａ）（ｂ）は二連引戸門扉の閉じ状態の平面図及び正面図であり、図２（ａ）（ｂ）はその開き状態の平面図及び正面図である。
【００１４】
同図において、符号１はガイド柱（２本組）、２は戸当り柱２を示す。これらの２本の柱間に敷かれた２本のレール３上を親扉４と先導扉５の２枚の引戸扉が開閉走行自在に配置されている。６は戸車である。
【００１５】
親扉４と先導扉５は開き時にはガイド柱１に引き込まれている。親扉４の引き込み側に配置されたガイド柱１の上部には２本のガイドアーム７が設けられ、このガイドアーム７の先端に親扉４が支持され、先導扉５は親扉４とガイド柱１との間に支持されている。
【００１６】
すなわち、図３及び図４に示されるように、上記ガイド柱１は２本の支柱１ａからなり、各支柱１ａの上端には扉の開閉方向と直交する方向に水平なガイドアーム７が設けられている。ガイドアーム７は上記レール３上に配置された親扉４と先導扉５の上端部を跨ぐ程度の長さに形成され、ガイドアーム７の先端には親扉４の上縁部の両側に係合して支持するガイドローラ８が取付けられている。そして、ガイドローラ８とガイド柱１との間には先導扉５を引き込み可能な引き込み空間１０が設けられ、開き時には先導扉５はこの空間１０に引き込まれている。
【００１７】
戸当り柱２の戸当り面には、図５に示されるように、閉じ時に先導扉５の戸先１１（図１、図２参照）を受ける戸当り１２が固定され、戸先１１は上記戸当り１２によって支持される。
【００１８】
ところで、閉じ時には上記親扉４の戸尻側はガイド柱１のガイドアーム７によって支持され、先導扉５の戸先１１は戸当り柱２によって支持されるが、先導扉５がガイド柱１と戸当り柱２との間にあるとき、特に先導扉５とが中央部で重合しているときは、先導扉５は不安定になる。そこで、先導扉５は親扉４に設けられたガイド体１３によって支持されている。
【００１９】
すなわち、図６及び図７に示されるように、ガイド体１３は、Ｌ字形の金属製支持部材の一方を親扉４の戸先側の上縁部１７にボルト１８で固定した固定部１４と、他方１５を先導扉５の上方に延長させ、その先端に開閉方向に各１対のローラ１６を配置させてなるガイド部１９とから構成されている。ガイド部１９の２対のローラ１６の間には先導扉５の上縁部が挟まれてガイドされるようになっている。
【００２０】
したがって、親扉４と先導扉５とが閉じ状態のとき中央部で重合する重合部において、先導扉５は親扉４のガイド体１３のガイド部１９によって一体的に保持されるから、ガイド柱１に親扉４が支持されていることにより、先導扉５も同様に支持されることになり、安定状態が保たれる。もちろん、先導扉５は上記重合部だけでなく、常にガイド体１３によって支持されている。
【００２１】
なお、開き時に親扉４と先導扉５がガイド柱１に引き込まれているとき、図２（ａ）（ｂ）に示されるように、上記ガイド体１３はガイドアーム７に当接する直前で停止するように設定されている。
【００２２】
また、上述のガイド体１３は先導扉５に固定し、ガイドローラ８によって親扉４を支持する構成としてもよい。
【００２３】
次に、閉じ時の重合部において、親扉４と先導扉５とが下部にそれぞれに設けられた連結部材２０を介して連結されるようになっている。連結部材２０は図８に示されるように、板状の固定部２１の一側に厚板状のブロック２２を介して横向きＨ字形の係合部２３を形成したもので、係合部２３の両側には係合溝２４が形成されている。係合溝２４は中間の起立片２５に近づくにしたがって狭くなるように形成され、起立片２５付近ではブロック２２の厚さと同程度となっている。また、起立片２５の両側には受け片２６が形成されている。そして、一方の連結部材２０の固定部２１は親扉４の戸先側の下面部にビス止め固定され、他方の連結部材２０の固定部は先導扉５の戸尻側の下面部に固定されている。さらに、親扉４と先導扉５の連結部材２０の一方のブロック２２と他方の係合部２３とが互いに向き合うように配置されている。なお、親扉４と先導扉５の連結部材２０は、閉じ時に両扉が重合状態となっているときに上記ガイド体１３の下方に位置するように配置されている。
【００２４】
上記構成によれば、閉じ時に先導扉５が図９（ａ）のように戸当り柱２側に走行していくと、それにつれて先導扉５の連結部材２０は親扉４の連結部材２０に接近していき、最後に先導扉５が戸当り柱２に当ったときに、先導扉５と親扉４との重合部において、同図（ｂ）（ｃ）に示されるように、一方の連結部材２０のブロック２２が他方の連結部材２０の係合部２３の係合溝２４に入り込み、ブロック２２の先端は受け片２６に当接する。一方の連結部材２０のブロック２２は他方の連結部材２０の係合溝２４内に係合しているので、上下方向に動くことはできない。
【００２５】
このように、先導扉５と親扉４とによって柱１、２間の開口部を閉じた状態において、折畳み扉はガイド柱１によって支持され、また先導扉５の戸先側は戸当り柱２によって支持され、戸尻側は、上部が親扉４のガイド体１３によって折畳み扉から離反しないように支持され、また下部が親扉４の連結部材２０によって上下方向に移動できないように支持されており、さらに下端はレールによって親扉４と一定の間隔を保つように支持されている。したがって、閉じ状態において、先導扉５と親扉４とはガイド柱１と戸当り柱２とガイド体１３と連結部材２０とによって一体的に安定的に支持される。
【００２６】
上述のように、ガイド柱１の上部に、扉の開閉方向と直交する方向に水平なガイドアーム７を設け、このガイドアーム７の先端に上記親扉４を支持するガイドローラ８を取付け、このガイドローラ８と上記柱との間に上記先導扉５を引き込み可能な引き込み空間を設けたから、ガイド柱１上部の水平なガイドアーム７の先端に設けた親扉４支持用ガイドローラ８と上記柱との間の空間に上記先導扉５を引き込むことができるので、開き時には先導扉５を親扉４と柱との間に安定に支持することができる。
【００２７】
また、親扉４と先導扉５のうちの一方の扉に他方の扉をガイドするガイド体１３を取付け、このガイド体１３には、一方の扉の上部に固定される固定部と他方の扉をローラ１６によりガイドするガイド部１９を設けたことにより、上記ガイド部１９のローラ１６によって上記２つの扉が相対的に開閉方向に移動することができるとともに、閉じ状態のときに中央部で上記２つの扉が重合した部分で両扉はガイド部１９によって一体的に保持されるから、一方又は両方の扉が柱に支持されていれば、他方の扉も同様に支持されることになり、安定状態が保たれる。
【図面の簡単な説明】
【００２８】
【図１】（ａ）（ｂ）はそれぞれ二連引戸門扉の閉じ状態の平面図と正面図である。
【図２】（ａ）（ｂ）はそれぞれ上記二連引戸門扉の開き状態の平面図と正面図である。
【図３】ガイド柱の斜視図である。
【図４】ガイド柱のガイドアームを示す側面図である。
【図５】戸当り柱の分解斜視図である。
【図６】ガイド体による扉支持態様を示す斜視図である。
【図７】ガイド体を示す側面図である。
【図８】連結部材の取付態様説明図である。
【図９】（ａ）（ｂ）及び（ｃ）は、連結部材の配置と連結の態様を示す平面図及び側面図である。
【符号の説明】
【００２９】
１  ガイド柱
２  戸当り柱
４  親扉
５  先導扉
７  ガイドアーム
８  ガイドローラ
１３  ガイド体
１４  固定部
１９  ガイド部
【図１】
0004822804.tif 000002
【図２】
0004822804.tif 000003
【図３】
0004822804.tif 000004
【図４】
0004822804.tif 000005
【図５】
0004822804.tif 000006
【図６】
0004822804.tif 000007
【図７】
0004822804.tif 000008
【図８】
0004822804.tif 000009
【図９】
0004822804.tif 000010